【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
内燃機関を冷却する冷却システムであって、
前記内燃機関（１０）の内部において冷却水を循環させる内部通路（５１）と、
前記内部通路の一端部（５１１）に繋がる一端側外部通路（５０）に設けられているウォーターポンプ（１１）と、
前記内部通路における冷却水の流れを、前記内部通路の前記一端部から他端部（５１２）へと向かう順方向流れと、前記他端部から前記一端部へと向かう逆方向流れとに切り替える水流切替制御を実行する水流切替部（３０３）と、
前記内部通路の前記他端部側及び／又は前記他端部側に繋がる他端側外部通路（５２）に、冷却水を分流し再合流させるバイパス通路（５３）と、
前記バイパス通路に設けられ、冷却水を一時的に貯留し放出することができる冷却水貯留部（２１）と、
前記バイパス通路と並行して、前記内部通路の前記他端部側又は前記他端側外部通路に設けられている二方弁（２２）と、を備え、
前記水流切替部は、前記ウォーターポンプ及び前記二方弁を制御することで前記水流切替制御を実行する、冷却システム。
【請求項２】
請求項１に記載の冷却システムであって、
更に、前記内燃機関の内部における冷却水の温度を取得する水温取得部（３０１）を備え、
前記内燃機関の内部における冷却水の温度が下方閾値温度に達すると、前記水流切替部が前記水流切替制御を開始する、冷却システム。
【請求項３】
請求項２に記載の冷却システムであって、
前記内燃機関の内部における冷却水の温度が前記下方閾値温度よりも高い上方閾値温度に達すると、前記水流切替部が前記水流切替制御を終了する、冷却システム。
【請求項４】
請求項１に記載の冷却システムであって、
前記水流切替部は、前記二方弁を閉じ前記ウォーターポンプを駆動することで前記順方向流れを形成し、前記二方弁を閉じ前記ウォーターポンプを停止することで前記逆方向流れを形成して前記水流切替制御を実行する、冷却システム。
【請求項５】
請求項１に記載の冷却システムであって、
前記冷却水貯留部は、前記バイパス通路に繋がり冷却水が流入する貯留室と、前記貯留室を区分するピストンと、前記ピストンを前記貯留室に流入する冷却水に対抗して付勢する付勢部材と、を有する、冷却システム。
【請求項６】
内燃機関を冷却する冷却システムであって、
前記内燃機関（１０）の内部において冷却水を循環させる内部通路（５１）と、
前記内部通路の一端部（５１１）に繋がる一端側外部通路（５０）に設けられているウォーターポンプ（１１）と、
前記内部通路における冷却水の流れを、前記内部通路の前記一端部から他端部（５１２）へと向かう順方向流れと、前記他端部から前記一端部へと向かう逆方向流れとに切り替える水流切替制御を実行する水流切替部（３０３）と、
前記他端部に繋がる他端側外部通路（５９）と、
前記一端側外部通路と前記他端側外部通路とを繋ぐ第１連絡通路（５０１）及び第２連絡通路（５０２）と、
前記ウォーターポンプの吐出口から吐出された冷却水を、前記一端側外部通路を経由して前記内燃機関を通り前記他端側外部通路から前記ウォーターポンプの吸込口に還流させる順方向流れと、前記第１連絡通路を経由して前記他端側外部通路を経由して内燃機関を通り前記一端側外部通路及び前記第２連絡通路から前記吸込口に還流させる逆方向流れとを切り替える切替弁（２４，２５，２６，２７）と、を備え、
前記水流切替部は、前記切替弁を制御し、前記ウォーターポンプを駆動することで前記水流切替制御を実行するものであって、
前記切替弁（２４）は、それぞれ二方弁である、第１弁（２４ａ）と、第２弁（２４ｂ）と、第３弁（２４ｃ）と、第４弁（２４ｄ）と、を有し、
前記第１弁は、前記第２連絡通路に設けられ、
前記第２弁は、前記一端側外部通路において、前記第１連絡通路との分岐部（５０ａ）と前記第２連絡通路との分岐部（５０ｂ）との間に設けられ、
前記第３弁は、前記他端側外部通路において、前記第１連絡通路との分岐部（５９ａ）と前記第２連絡通路との分岐部（５９ｂ）との間に設けられ、
前記第４弁は、前記第１連絡通路に設けられ、
前記水流切替部は、前記第１弁及び前記第４弁を閉じる一方で前記第２弁及び前記第３弁を開き、前記ウォーターポンプを駆動することで前記順方向流れを形成し、前記第２弁及び前記第３弁を閉じる一方で前記第１弁及び前記第４弁を開き、前記ウォーターポンプを駆動することで前記逆方向流れを形成することで前記水流切替制御を実行する、冷却システム。
【請求項７】
内燃機関を冷却する冷却システムであって、
前記内燃機関（１０）の内部において冷却水を循環させる内部通路（５１）と、
前記内部通路の一端部（５１１）に繋がる一端側外部通路（５０）に設けられているウォーターポンプ（１１）と、
前記内部通路における冷却水の流れを、前記内部通路の前記一端部から他端部（５１２）へと向かう順方向流れと、前記他端部から前記一端部へと向かう逆方向流れとに切り替える水流切替制御を実行する水流切替部（３０３）と、
前記他端部に繋がる他端側外部通路（５９）と、
前記一端側外部通路と前記他端側外部通路とを繋ぐ第１連絡通路（５０１）及び第２連絡通路（５０２）と、
前記ウォーターポンプの吐出口から吐出された冷却水を、前記一端側外部通路を経由して前記内燃機関を通り前記他端側外部通路から前記ウォーターポンプの吸込口に還流させる順方向流れと、前記第１連絡通路を経由して前記他端側外部通路を経由して内燃機関を通り前記一端側外部通路及び前記第２連絡通路から前記吸込口に還流させる逆方向流れとを切り替える切替弁（２４，２５，２６，２７）と、を備え、
前記水流切替部は、前記切替弁を制御し、前記ウォーターポンプを駆動することで前記水流切替制御を実行するものであって、
前記切替弁（２５，２６，２６Ａ，２７）は、それぞれ三方弁である、第１弁（２５ａ，２６ａ，２６ａＡ，２７ａ）と、第２弁（２５ｂ，２６ｂ，２６ｂＡ，２７ｂ）と、を有し、
前記第１弁は、前記一端側外部通路と前記第２連絡通路との分岐部（５０ｂ）に設けられ、
前記第２弁は、前記他端側外部通路と前記第１連絡通路との分岐部（５９ａ）に設けられ、
前記水流切替部は、前記第１弁及び第２弁を、前記順方向流れを形成するように切り替えて前記ウォーターポンプを駆動し、前記第１弁及び第２弁を、前記逆方向流れを形成するように切り替えて前記ウォーターポンプを駆動することで前記水流切替制御を実行する、冷却システム。
【請求項８】
請求項７に記載の冷却システムであって、
前記第１弁（２７ａ）及び前記第２弁（２７ｂ）は、流量調整可能なように構成されている、冷却システム。
【請求項９】
内燃機関を冷却する冷却システムであって、
前記内燃機関（１０）の内部において冷却水を循環させる内部通路（５１）と、
前記内部通路の一端部（５１１）に繋がる一端側外部通路（５０）に設けられているウォーターポンプ（１１）と、
前記内部通路における冷却水の流れを、前記内部通路の前記一端部から他端部（５１２）へと向かう順方向流れと、前記他端部から前記一端部へと向かう逆方向流れとに切り替える水流切替制御を実行する水流切替部（３０３）と、
前記一端側外部通路の分流部（７０１）から冷却水を分流し、前記内部通路の前記他端部側に繋がる他端側外部通路（５２）に冷却水を再合流させるバイパス通路（７０）と、
前記バイパス通路に設けられている逆止弁（２９）と、
前記一端側外部通路の前記分流部と前記一端部との間に設けられている三方弁（２８）と、
前記三方弁と前記他端部に繋がる他端側外部通路（５９）とを繋ぐ連絡通路（７１）と、を備え、
前記水流切替部は、前記ウォーターポンプ及び前記三方弁を制御することで前記水流切替制御を実行する、冷却システム。
【請求項１０】
請求項９に記載の冷却システムであって、
前記水流切替部は、前記分流部から前記一端部に冷却水が流れるように前記三方弁を切り替え前記ウォーターポンプを駆動し、前記一端部から前記連絡通路に冷却水が流れるように前記三方弁を切り替え前記ウォーターポンプを駆動することで前記水流切替制御を実行する、冷却システム。
【手続補正２】
【補正対象書類名】明細書
【補正対象項目名】発明の名称
【補正方法】変更
【補正の内容】
【発明の名称】冷却システム
【手続補正３】
【補正対象書類名】明細書
【補正対象項目名】０００１
【補正方法】変更
【補正の内容】
【０００１】
本発明は、内燃機関を冷却する冷却システムに関する。
【手続補正４】
【補正対象書類名】明細書
【補正対象項目名】０００６
【補正方法】変更
【補正の内容】
【０００６】
本発明はこのような課題に鑑みてなされたものであり、その目的は、内燃機関の始動時においてウォーターポンプの停止期間を極力長くしつつ冷却水の局所的な沸騰を回避することが可能な冷却システムを提供することにある。
【手続補正５】
【補正対象書類名】明細書
【補正対象項目名】０００７
【補正方法】変更
【補正の内容】
【０００７】
本開示に係る冷却システムは、内燃機関を冷却する冷却システムであって、前記内燃機関（１０）の内部において冷却水を循環させる内部通路（５１）と、前記内部通路の一端部（５１１）に繋がる一端側外部通路（５０）に設けられているウォーターポンプ（１１）と、前記内部通路における冷却水の流れを、前記内部通路の前記一端部から他端部（５１２）へと向かう順方向流れと、前記他端部から前記一端部へと向かう逆方向流れとに切り替える水流切替制御を実行する水流切替部（３０３）と、前記内部通路の前記他端部側及び／又は前記他端部側に繋がる他端側外部通路（５２）に、冷却水を分流し再合流させるバイパス通路（５３）と、前記バイパス通路に設けられ、冷却水を一時的に貯留し放出することができる冷却水貯留部（２１）と、前記バイパス通路と並行して、前記内部通路の前記他端部側又は前記他端側外部通路に設けられている二方弁（２２）と、を備え、前記水流切替部は、前記ウォーターポンプ及び前記二方弁を制御することで前記水流切替制御を実行する。
【手続補正６】
【補正対象書類名】明細書
【補正対象項目名】０００９
【補正方法】削除
【補正の内容】
【手続補正７】
【補正対象書類名】明細書
【補正対象項目名】００１１
【補正方法】変更
【補正の内容】
【００１１】
本発明によれば、内燃機関の始動時においてウォーターポンプの停止期間を極力長くしつつ冷却水の局所的な沸騰を回避することが可能な冷却システムを提供することができる。